(57)【要約】【課題】運搬および保管、組立が容易で、しかも商品の展示効果、更には演出をも行うことができるようにする。【手段】商品を展示する展示部２と、展示部２を支持する支持台３とを有する商品展示装置１であって、プラスチック製段ボール等で構成され、前記展示部２は、商品が載置される載置部４と、載置部４の後端に立設された背部５と、背部５の上端から前側へ突設された天井部６とを備えた側方から見て略コ字形となされて、左右両側が開放されており、載置部４および天井部６はいずれも上下一対の略板状部４Ａ・４Ｂ・６Ａ・６Ｂで構成され、背部５は前後一対の略板状部５Ａ・５Ｂで構成されており、展示部２の両側は開放された形態となされている。【選択図】  図１
2020031816.tif 000002
【特許請求の範囲】
【請求項１】
商品を展示する展示部と、展示部を支持する支持台とを有する商品展示装置において、展示部は商品が載置される載置部と、載置部の後端に立設された背部と、背部の上端から前側へ突設された天井部とを有する側方から見て略コ字形となされて、左右両側が開放されており、載置部および天井部はいずれも上下一対の板状部で構成され、背部は前後一対の板状部で構成されている、商品展示装置。
【請求項２】
載置部の前縁、天井部の前縁、載置部と背部が交わる下側隅および天井部と背部が交わる上側隅のうちの少なくとも一箇所に照明が設けられている、請求項１記載の商品展示装置。
【請求項３】
照明が設けられる箇所に、該照明を載置部上の商品に配光させるための傾斜部が設けられている、請求項２記載の商品展示装置。
【請求項４】
支持台が箱状であって、その内部に展示部が収納されるようになされている、請求項１〜請求項３のうちのいずれか一項記載の商品展示装置。
【請求項５】
載置部と背部が交わる下側隅および天井部と背部が交わる上側隅に、互いに対向する凹溝が形成され、これら凹溝内に、互いに同幅の二枚のバックボードの上下端が嵌め入れられて、両バックボードが左右方向にスライド自在に設けられている、請求項１〜請求項４のうちのいずれか一項記載の商品展示装置。
【発明の詳細な説明】
【技術分野】
【０００１】
本発明は、商品・見本および作品等、具体的には人形・フィギア・スマートフォン・アクセサリー・食品サンプル・お酒等といった種々の商品を展示するのに用いられる商品展示装置に関する。
【背景技術】
【０００２】
従来、商品を展示する展示台やディスプレイ台としては、例えば、上下が開口した筒状の胴部と、該胴部内に配され、且つ該胴部よりも高さが低い支持部材と、支持部材上に配される載置部とを備え、載置部には商品を展示する天板と、天板の両側に立設された支持板と、これら支持板によって立設される背面板とが設けられたものであって、前記天板および折り畳まれた前記胴部を収納して搬送される外箱を備え、前記支持部材が前記外箱を組み立てて形成するようにしたものが知られている。
【０００３】
また、対向配置される一対の第１側板と、該第１側板の間に２ずつ配置される第２側板とで構成される６枚の矩形状側板によって構成される筒状体と、 前記第１側板の上端に橋渡し状に固定され、中央に前記第１側板に平行な折り線が形成された天面部と、 前記筒状体の内部に配置される支柱と、 該支柱が前記第１側板を内側から押圧する方向に付勢する弾性部材とを有する展示台であって、 前記第１側板を外側から押圧することにより前記筒状体が前記支柱と共に平坦状に折り畳まれ、前記天面部が折り線に沿って二つ折りとなる第１の状態と、前記支柱によって前記第１側板が内側から押圧されることにより前記筒状体が断面六角形状となり、前記天面部が平坦に展開される第２の状態とした展示台も知られている。
【先行技術文献】
【特許文献】
【０００４】
【特許文献１】特開２０１５−１０４６１０号公報
【特許文献２】特開２０１５−０９７７２６号公報
【発明の概要】
【発明が解決しようとする課題】
【０００５】
前項で述べた従来例のうち、前者の展示台は、筒状の胴部の上に商品を展示するための天板を有する載置部を設置するものであるが、前記胴部の他に該胴部を支持するための支持部材を前記胴部内に別途、配置する必要があり、また前記支持部材は搬送用の外箱を組み変えてつくるという構成となっており、そのため、展示台全体としては、前述した通り、構成部材が多く、その管理に注意を要し、使用時に構成部材の紛失のリスクがある上、各構成部材を所定の形態に組み立てるのが煩雑であるという使用上の欠点がある上、前述した通り、商品を展示する天板の両側に背板を支持する支持板を立設する必要があることから、天板に載置されている商品が両側に立設されている支持板で隠れてしまい、商品の展示効果が阻害されるという問題があった。
【０００６】
また、後者の従来の場合、前述した通り、商品を展示する天面部を支持する筒状体が合計６枚の矩形状側板によって構成され、またこれら各側板を形成するために多数本の折り線を成形したり、筒状体内に配置される支柱の形態保持のために別途、輪ゴム等の弾性部材が必要があることから、前述した従来例と同様に、構成部材が多く、構造やその組立が複雑である上、商品が展示される前記天面部の後方に、背板と該背板の両側から前方へ延びる側板を有する表示板が立設される構成となっており、該表示板によって、天面部上の商品に対する視界が遮られ、展示効果が低下するという大きな欠点もあった。
【０００７】
本発明の目的は、搬送および保管、組立が容易で、しかも商品の展示効果、更には演出をも行うことができる商品提示装置を提供することにある。
【課題を解決するための手段】
【０００８】
請求項１記載の本発明は、商品を展示する展示部と、展示部を支持する支持台とを有する商品展示装置において、展示部は商品が載置される載置部と、載置部の後端に立設された背部と、背部の上端から前側へ突設された天井部とを有する側方から見て略コ字形となされて、左右両側が開放されており、載置部および天井部はいずれも上下一対の板状部で構成され、背部は前後一対の板状部で構成されている商品展示装置である。
【０００９】
なお、本発明の商品展示装置は、プラスチック製または紙製の段ボールや発泡シート等によって、製造することができるが、強度や見栄え、取扱い性の他、後述する照明効果等を考慮すれば、プラスチック製段ボールが好適である。また、該プラスチック製段ボール越しに載置部の商品に光を当てる場合、白色のプラスチック製段ボールを使用すれば、該段ボールの透光性によって、柔らかな光が商品にあたるため、照明・演出効果が更に高められる。
【００１０】
請求項２記載の本発明は、前記請求項１記載の商品展示装置について、載置部の前縁、天井部の前縁、載置部と背部が交わる下側隅および天井部と背部が交わる上側隅のうちの少なくとも一箇所に照明が設けられていることを特徴とする。
【００１１】
請求項３記載の本発明は、前記請求項２記載の商品展示装置について、照明が設けられる箇所に、該照明を載置部上の商品に配光させるための傾斜部が設けられていることを特徴とする。
【００１２】
請求項４記載の本発明は、前記請求項１〜請求項３のうちのいずれか一項記載の商品展示装置について、支持台が箱状であって、その内部に展示部が収納されるようになされているものである。
【００１３】
請求項５記載の本発明は、前記請求項１〜請求項４のうちのいずれか一項記載の商品展示装置について、載置部と背部が交わる下側隅および天井部と背部が交わる上側隅に、互いに対向する凹溝が形成され、これら凹溝内に、互いに同幅の二枚のバックボードの上下端が嵌め入れられて、両バックボードが左右方向にスライド自在に設けられていることを特徴とするものである。
【発明の効果】
【００１４】
本願の請求項１記載の商品展示装置は、商品を展示する展示部と、展示部を支持する支持台とを有する商品展示装置において、展示部は商品が載置される載置部と、載置部の後端に立設された背部と、背部の上端から前側へ突設された天井部とを有する側方から見て略コ字形となされて、左右両側が開放されており、載置部および天井部はいずれも上下一対の板状部で構成され、背部は前後一対の板状部で構成されているものであるため、全体として、従来の展示台に比べて、構成部材が少なく、構造が複雑化されていない。そのため、構成部材の管理・保管が容易であり、且つ組立と分解が容易に行えるという実用的利点を有する。しかも本発明の商品展示装置は、前述した通り、商品を展示する展示部が、左右両側に開放された構造となっているため、従来の展示台のように、左右方向からの視線を遮ることなく、載置部上に並べられる商品を、広範囲にアピールすることができ、高い展示効果が得られるのである。
【００１５】
本願の請求項２および請求項３記載の商品展示装置は、前記請求項１記載のものについて、載置部の前縁、天井部の前縁、載置部と背部が交わる下側隅および天井部と背部が交わる上側隅のうちの少なくとも一箇所に照明が設けられているため、前述した広い視線を受ける高い展示効果に加えて、照明による演出も行うことができ、更なる商品アピールが実現される。特に、照明設置箇所に傾斜部を設けることで商品への注視度が高められる。
【００１６】
本願の請求項４記載の商品展示装置は、前述した通り、支持台が箱状であって、その内部に展示部が収納されるようになされているため、組立ては、支持台内から展示部を取り出して、支持台上に展示部を載せるだけで完了し、分解も前記組み立てとは逆に、展示部を支持台から持ち上げて、該支持台と展示台とを分離すだけで完了し、そして、支持台内に展示部を収納するだけで保管・搬送が行え、搬送並びに保管の際の省スペース化も実現される。
【００１７】
本願の請求項５記載の商品展示装置では、載置部と背部が交わる下側隅および天井部と背部が交わる上側隅に、互いに対向する凹溝が形成され、これら凹溝内に、互いに同幅の二枚のバックボードの上下端が嵌め入れられて、両バックボードが左右方向にスライド自在に設けられる構造であるため、前記両バックボードをそれぞれ外側方向へスライドさせて、両バックボートを展示部の背部から側方に張り出す形態とすることができるため、展示部における左右の開放性と相俟って、載置部上の商品を視覚的により広範囲にアピールすることができ、更なる注目度の向上が図られ得る。
【図面の簡単な説明】
【００１８】
【図１】本発明に係る商品展示装置の組立て状態の斜視図である。
【図２】同商品展示装置の側面図である。
【図３】同商品展示装置の正面図である。
【図４】同商品展示装置における展示部の拡大側面図である。
【図５】同商品展示装置における支持台の斜視図である。
【図６】同支持台の上側面におけるコーナー部の拡大斜視図である。
【図７】商品展示装置の背面図である。
【図８】商品展示装置の支持台内に展示部を収容した状態を示す背面図である。
【発明を実施するための形態】
【００１９】
次に、本発明の実施形態を図面にしたがって説明するが、本発明はかかる実施形態に限定されるものではない。
【００２０】
なお、本実施形態において、前後、左右および上下は、図３を基準とし、左とは図３の左側方向を指し、右とは同図の右側方向を意味する。また、上とは図３の上側方向を指し、下とは同図の下側方向を意味する。更に、上とは図３の上側方向を指し、下とは同図の下側方向を意味する。
【００２１】
図１および図２に示すように、本実施形態の商品展示装置１は、商品を展示する展示部２と、展示部２を支持する支持台３とを有するものであって、プラスチック製段ボールで構成され、少なくとも展示部２は白色である。
【００２２】
そして、展示部２は、商品が載置される載置部４と、載置部４の後端に立設された背部５と、背部５の上端から前側へ突設された天井部６とを備えた側方から見て略コ字形となされて、左右両側が開放されており、載置部４および天井部６はいずれも上下一対の略板状部４Ａ・４Ｂ・６Ａ・６Ｂで構成され、背部５は前後一対の略板状部５Ａ・５Ｂで構成されている。
【００２３】
また、本実施形態では、載置部４の前縁４ａ、天井部６の前縁６ａ、載置部４と背部５が交わる下側隅４５ｃおよび天井部６と背部５が交わる上側隅６５ｃの四箇所のうち、載置部４の前縁４ａと天井部６の前縁６ａに載置部４上の商品（図示せず）に配光させるための傾斜部９Ａ・９Ｂが設けられ、該傾斜部９Ａ・９Ｂ上にはＬＥＤ照明等が付設されるようになされている。
【００２４】
図８に示すように、前記支持台３は、本実施形態では、箱状であって、後述の通り、その内部に展示部２が収納されるようになされている。
【００２５】
また、図１〜図４に示すように、前記載置部４と背部５が交わる下側隅４５ｃおよび天井部６と背部５が交わる上側隅６５ｃには、互いに対向する凹溝１１が形成され、これら凹溝１１内に、互いに同幅の二枚のバックボード１３・１４の上下端１３ａ・１３ｂ・１４ａ・１４ｂが嵌め入れられて、両バックボード１３・１４が左右方向にスライド自在に取り付けられている。
【００２６】
そのため、図３に示すように、バックボード１３・１４をそれぞれ外側方向へスライドさせて、これらバックボード１３・１４が展示部２の背部５から両側外方に張り出す形態とすることができる。
【００２７】
図４に示すように、前記展示部２は、本実施形態では、上下方向に立設された背部５を介して下側の載置部４と上側の天井部６が前方へ対称に突設された形態となされ、そして、本実施形態では、外側の一枚構成のプラスチック製段ボールＰＤ１における上下二カ所の反切り部ＨＣをよって、載置部４の板状部４Ｂ、背部５の板状部５Ａおよび天井部６の板状部６Ａがそれぞれ形成されている。また、載置部４の板状部４Ａは、一枚のプラスチック製段ボールＰＤ２によって形成され、合計三カ所の反切り部ＨＣを介して板状部４Ｂの上面前縁寄り部分と背部５の一枚構成のプラスチック製段ボールＰＤ３からなる板状部５Ｂの前面下部にリベットＲで固定されている。更に、天井部６の板状部６Ｂも前述した載置部４の板状部４Ａと同様に、一枚構成のプラスチック製段ボールＰＤ４で構成され、その取付構造は前記板状部４Ａと同様である。
【００２８】
図５および図６に示すように、前記支持台３は、背面３ａが開口した箱形であって、三枚の側板１５〜１７と、天板１８および底板２０を備えており、天板１８は、側板１５〜１７の内側において、これら側板１５〜１７の上端１５ａ・１６ａ・１７ａよりも下位に複数のリベットＲで固定されることで、凹部１９が形成された構造となっており、また、前記天板１８の両端部１８ａ・１８ｂも側板１５〜１７の上端１５ａ・１６ａ・１７ａよりも僅かに下がった位置とすることで、前後縁に段部Ｇ１が形成されている。
【００２９】
そして、展示部２の載置部４の前後縁に形成された半切り部ＨＣを前記支持台２の前後縁の段部Ｇ１と嵌め合わせることで、支持台３上に展示部２が固定されるようになされている。
【００３０】
また、本実施形態では、側面から見て略横向き凹形の連結板２１が前述した一対の板状部４Ａと４Ｂ、５Ａと５Ｂおよび６Ａと６Ｂ間に介在されて、載置部４、背部５および天井部６の各形態が維持されている。より詳細には、連結板２１は、当該展示部２の左右方向に二枚配設され、上下の嵌合凹部２２、後縁の隣り合う突起２３および反切り部ＨＣを介して背部５の板状部５Ａの前面にリベットＲで固定されたステイ部２４を有する。
【００３１】
更に、本実施形態では、前記載置部４の前部および天井部６の前部において、それぞれ１枚構成のプラスチック製段ボールＰＤ５・ＰＤ６が各三箇所の反切り部ＨＣを介して横断面略方形の筒状に成形されて、リベットＲで、隣接する板状部４Ａ・４Ｂ、６Ａ・６Ｂに固定されており、その一部が前述した照明付設用の傾斜部９Ａ・９Ｂとなされている。
【００３２】
図７に示すように、背部５を構成する板状部５Ａには、前述した通り、方形の開口部２５を形成され、該開口部２５を利用して、板状部５Ｂとの間に前記ＬＥＤ照明用のバッテリー（図示せず）その他のものが収容される。
【００３３】
図８に示すように、本実施形態の商品展示装置１の未使用時には、支持台３の背面の開口３０から展示部２をそのままの形態で入れて、支持台３と展示部２とをまとめて保管したり、搬送することができる。
【００３４】
なお、図中、３１Ａ・３１Ｂは、前記開口３０の縁部に互いに隣接して架設されたフレーム板を示す。
【産業上の利用可能性】
【００３５】
本発明の商品展示装置は、前述したプラスチック製段ボール等を使って、従来の展示台等よりも少ない構成部材で、容易に組み立て分解ができ、且つ安価に製造可能であり、しかも左右両側の開放形態や照明によって、商品の展示効果を大幅に高めることができるため、店頭や見本市会場、イベント会場等において、高い利用性が期待できる。
【符号の説明】
【００３６】
１  商品展示装置
２  展示部
３  支持台
４  載置部
４Ａ・４Ｂ  載置部の板状部
５  背部
５Ａ・５Ｂ  背部の板状部
６  天井部
６Ａ・６Ｂ  天井部の板状部
７・８  ＬＥＤ照明
９Ａ・９Ｂ  傾斜部
１３・１４  バックボード
【図１】
2020031816.tif 000003
【図２】
2020031816.tif 000004
【図３】
2020031816.tif 000005
【図４】
2020031816.tif 000006
【図５】
2020031816.tif 000007
【図６】
2020031816.tif 000008
【図７】
2020031816.tif 000009
【図８】
2020031816.tif 000010